(57)【要約】【課題】商品ランキングデータによる店頭販売商品への一般ユーザの興味を良好に喚起することができる店頭収容ラックを提供する。【解決手段】店頭収容ラック１００は、収容している複数種類の店頭販売商品ＳＴＰの商品ランキングデータＴＲＤをランキング記憶部１２１で記憶し、その出力形態を変更する複数の出力変更モードをモード記憶部１２２が記憶する。複数の出力変更モードの少なくとも一つがモード設定部１２３に有効に設定されると、それに対応して商品ランキングデータＴＲＤの出力形態を出力変更部１３１が変更し、ランキング報知部１４１が報知出力する。このため、販売する店頭販売商品ＳＴＰの商品ランキングデータＴＲＤが一般ユーザに様々な出力形態で報知出力されるので、商品ランキングデータＴＲＤによる店頭販売商品ＳＴＰへの一般ユーザの興味を良好に喚起することができる。【選択図】図１
2010188029.tif 000002
【特許請求の範囲】
【請求項１】
一般ユーザに自由に取得される複数種類の店頭販売商品を収容する店頭収容ラックであって、
少なくとも収容されている複数種類の前記店頭販売商品の商品ランキングデータを記憶するランキング記憶部と、
記憶されている前記商品ランキングデータの少なくとも出力形態を変更する複数の出力変更モードを記憶するモード記憶部と、
複数の前記出力変更モードの少なくとも一つを有効に設定するモード設定部と、
設定された少なくとも一つの前記出力変更モードに対応して前記商品ランキングデータの出力形態を変更する出力変更部と、
変更された出力形態で前記商品ランキングデータを報知出力するランキング報知部と、
を有する店頭収容ラック。
【請求項２】
少なくともテキストデータを表示出力するディスプレイユニットを有し、
前記ランキング報知部は、前記ディスプレイユニットに前記テキストデータで前記商品ランキングデータを表示出力させる請求項１に記載の店頭収容ラック。
【請求項３】
前記出力変更モードに対応して前記商品ランキングデータの出力形態が変更されたときに前記一般ユーザによる少なくとも一つのユーザアクションを検知するアクション検知部を、さらに有する請求項１または２に記載の店頭収容ラック。
【請求項４】
前記アクション検知部は、前記出力変更モードに対応して前記商品ランキングデータの出力形態が変更されたときに前記ユーザアクションとして前記収容されている前記店頭販売商品の移動を各々検知する請求項３に記載の店頭収容ラック。
【請求項５】
前記アクション検知部は、前記収容されている前記店頭販売商品の移動として前記取得の実行と完了と中止とを各々検知し、
前記出力変更部は、前記取得の前記実行と前記完了と前記中止との各々に個々に対応して前記商品ランキングデータの出力形態を変更する請求項４に記載の店頭収容ラック。
【請求項６】
前記アクション検知部は、前記収容されている前記店頭販売商品の移動を各々検知し、
前記モード設定部は、前記アクション検知部により前記店頭販売商品の移動が検知されると有効に設定している前記出力変更モードを切り換える請求項３に記載の店頭収容ラック。
【請求項７】
前記アクション検知部は、前記収容されている前記店頭販売商品の移動として前記取得の実行と完了と中止とを各々検知し、
前記モード設定部は、前記取得の前記実行と前記完了と前記中止との各々に個々に対応して有効に設定している前記出力変更モードを切り換える請求項６に記載の店頭収容ラック。
【請求項８】
前記モード記憶部は、複数の前記出力変更モードの一種として前記商品ランキングデータの出力タイミングを変更する複数のタイミング変更モードを記憶し、
前記モード設定部は、前記ユーザアクションに対応して複数の前記タイミング変更モードの一つを有効に設定し、
前記ランキング報知部は、設定された前記タイミング変更モードに対応した前記出力タイミングで前記商品ランキングデータを報知出力する請求項１ないし７の何れか一項に記載の店頭収容ラック。
【請求項９】
前記モード記憶部は、複数の前記出力変更モードの一種として前記店頭販売商品が販売される複数種類の商品販売領域ごとに前記商品ランキングデータを集計する複数の領域集計モードを記憶し、
前記モード設定部は、前記出力変更モードとして複数の前記領域集計モードの一つを有効に設定し、
前記出力変更部は、設定された前記領域集計モードに対応した前記商品販売領域の前記商品ランキングデータを集計する請求項１ないし８の何れか一項に記載の店頭収容ラック。
【請求項１０】
前記モード記憶部は、複数の前記出力変更モードの一種として前記店頭販売商品が販売される複数の商品販売期間ごとに前記商品ランキングデータを集計する複数の期間集計モードを記憶し、
前記モード設定部は、前記出力変更モードとして複数の前記期間集計モードの一つを有効に設定し、
前記出力変更部は、設定された前記期間集計モードに対応した前記商品販売期間の前記商品ランキングデータを集計する請求項１ないし９の何れか一項に記載の店頭収容ラック。
【請求項１１】
前記モード記憶部は、複数の前記出力変更モードの一種として前記店頭販売商品の複数種類の販売商品区分ごとに前記商品ランキングデータを集計する複数の区分集計モードを記憶し、
前記モード設定部は、前記出力変更モードとして複数の前記区分集計モードの一つを有効に設定し、
前記出力変更部は、設定された前記区分集計モードに対応した前記販売商品区分で前記商品ランキングデータを集計する請求項１ないし１０の何れか一項に記載の店頭収容ラック。
【請求項１２】
外部入力される前記商品ランキングデータを前記ランキング記憶部に記憶させるランキング入力部を、さらに有する請求項１ないし１１の何れか一項に記載の店頭収容ラック。
【請求項１３】
外部入力される前記出力変更モードを前記モード記憶部に記憶させるモード入力部を、さらに有する請求項１ないし１２の何れか一項に記載の店頭収容ラック。
【請求項１４】
外部入力されるモード設定データに対応して複数の前記出力変更モードの少なくとも一つを前記モード設定部に有効に設定する設定入力部を、さらに有する請求項１ないし１３の何れか一項に記載の店頭収容ラック。
【請求項１５】
前記店頭販売商品としてタバコパックとタバコカートンとの少なくとも一方を収容する請求項１ないし１４の何れか一項に記載の店頭収容ラック。
【請求項１６】
請求項１２に記載の複数の店頭収容ラックと、
複数の前記店頭収容ラックに前記商品ランキングデータを送信するデータ処理装置と、
を有するデータ処理システム。
【請求項１７】
請求項１３に記載の複数の店頭収容ラックと、
複数の前記店頭収容ラックに前記出力変更モードを送信するデータ処理装置と、
を有するデータ処理システム。
【請求項１８】
請求項１４に記載の複数の店頭収容ラックと、
複数の前記店頭収容ラックに前記モード設定データを送信するデータ処理装置と、
を有するデータ処理システム。
【請求項１９】
一般ユーザに自由に取得される複数種類の店頭販売商品を収容する店頭収容ラックのコンピュータプログラムであって、
少なくとも収容されている複数種類の前記店頭販売商品の商品ランキングデータを記憶するランキング記憶処理と、
記憶されている前記商品ランキングデータの少なくとも出力形態を変更する複数の出力変更モードを記憶するモード記憶処理と、
複数の前記出力変更モードの少なくとも一つを有効に設定するモード設定処理と、
設定された少なくとも一つの前記出力変更モードに対応して前記商品ランキングデータの出力形態を変更する出力変更処理と、
変更された出力形態で前記商品ランキングデータを報知出力するランキング報知処理と、
を店頭収容ラックに実行させるコンピュータプログラム。
【請求項２０】
一般ユーザに自由に取得される複数種類の店頭販売商品を収容する店頭収容ラックのデータ処理方法であって、
少なくとも収容されている複数種類の前記店頭販売商品の商品ランキングデータを記憶するランキング記憶動作と、
記憶されている前記商品ランキングデータの少なくとも出力形態を変更する複数の出力変更モードを記憶するモード記憶動作と、
複数の前記出力変更モードの少なくとも一つを有効に設定するモード設定動作と、
設定された少なくとも一つの前記出力変更モードに対応して前記商品ランキングデータの出力形態を変更する出力変更動作と、
変更された出力形態で前記商品ランキングデータを報知出力するランキング報知動作と、
を店頭収容ラックに実行させるデータ処理方法。
【発明の詳細な説明】
【技術分野】
【０００１】
本発明は、一般ユーザに自由に取得される複数種類の店頭販売商品を収容する店頭収容ラック、この店頭収容ラックを有するデータ処理システム、その店頭収容ラックのコンピュータプログラムおよびデータ処理方法、に関する。
【背景技術】
【０００２】
現在、いわゆるコンビニエンスストアなどのサプライチェーン店舗では、いわゆるＰＯＳ(Point Of Sales)システムにより、店頭販売商品を商品販売処理するときに、その販売履歴データを生成して蓄積している。
【０００３】
このように複数のサプライチェーン店舗で蓄積された販売履歴データは、例えば、チェーン店舗本部のデータベースサーバなどに収集され、サプライチェーン企業や商品製造メーカでの販売戦略の立案などに利用される。
【０００４】
上述のようなデータ収集などにより生成される店頭販売商品の売上ランキングなどは、例えば、宣伝の一環としてインターネットなどで一般ユーザに公表されていることもある。
【０００５】
商品購買に関する「ランキング」という概念は古くから存在したものであるが、デジタルマーケティングの台頭を受けて、その重要性を増している。今日では、例えば、書籍の売上のように、さらに、ランキングへの依存を高めている商品が増えつつあるのが現状である。
【０００６】
また、マーケティングの基本理論であるＡＩＤＭＡ理論（Attention→Interest→Desire→Memory→Action）において、最も、着目されている「Attention」と「Interest」の双方を充たすものとして、「ランキング表示」に関する技術的な工夫へのニーズは、ますます高くなっているのが現状である。
【０００７】
例えば、商品陳列棚に陳列されている商品の売上実績データを商品が陳列されている棚の前で簡単に確認できることにより、店員が商品の売れ筋等を考慮して商品の陳列を効率よく行うことができる売上実績表示システムの提案がある。
【０００８】
このシステムでは、店舗サーバは、ＰＬＵファイル、売上実績ファイルを管理し、これらの情報はＬＡＮを介して接続されているＷＥＢサーバ、電子棚札システム等で必要に応じて適宜参照できるような構成となっている。
【０００９】
ＷＥＢサーバは、無線携帯端末から棚ブロック番号、又は棚ブロック番号及び段番号を受信すると、これらの情報によって特定される陳列位置に陳列されている商品の売上実績をＰＬＵファイル、売上実績ファイルを参照して取得し、この情報を無線携帯端末へ送信する。これにより、無線携帯端末の表示部には指定した売上実績ファイルが表示される(例えば、特許文献１参照)。
【００１０】
さらに、商品データ処理システムにより、販売者が、旬のある売れ筋商品の販売管理を容易にでき、消費者が、売れ筋商品に関する情報を一覧でき且つ直接店頭に出向かなくても実際に陳列されている売れ筋商品を知ることができるようにした提案もある。
【００１１】
そのシステムでは、各商品種別における売れ行きランキング上位の各商品をそのランキングに対応付けて示すランキング情報を入力すると、販売商品決定手段は、このランキング情報により示される各商品の商品特性及び店舗における店舗容量のうち少なくとも一方とランキングとに基づいて、店舗において販売すべき商品種別と該販売すべき商品種別に属する各商品のうちランキング上位の中で特定順位のものまで販売するかを決定する。この決定された商品種別及び商品を示す情報を、所定フォーマットで出力し、更に店舗に関連付けて需要者に開示する(例えば、特許文献２参照)。
【００１２】
また、ディスプレイに利用者の購買意欲を促進し、あるいは同じ店内で必要な材料が揃うような商品情報を提供することで、利用者の利便性を向上させ、店舗の在庫商品の販売を促進させる提案もある。
【００１３】
そのシステムでは、スーパーマーケットや各種量販店において、商品に関する情報を管理するデータベースと、レジのＰＯＳ機能と連携することで店内に陳列してある商品の在庫の有無を管理するデータベースと、店頭に陳列してある商品を利用したメニューや部品を集めて完成させることができる商品に関するデータベースを備え、実際に店頭にて販売している商品を管理し、それらの商品を用いたデータベースと比較して在庫商品を用いた情報を作成し、買い物客にそのメニューや部品等に関する情報を表示する(例えば、特許文献３参照)。
【先行技術文献】
【特許文献】
【００１４】
【特許文献１】特開２００２−３５２３２２号公報
【特許文献２】特開２００２−３３４２２９号公報
【特許文献３】特開２００５−２５０６１６号公報
【発明の概要】
【発明が解決しようとする課題】
【００１５】
上述した特許文献１の技術では、商品陳列棚に陳列されている商品の売上実績データを、その商品が陳列されている商品陳列棚の前で簡単に確認できる。しかし、このシステムは店員が商品陳列棚に商品を効率的に陳列するためのもので、売上実績データは店員の無線携帯端末に表示される。
【００１６】
つまり、商品陳列棚に陳列されている商品の売上実績データを一般ユーザに提示することは想定すらされておらず、一般ユーザに売上実績データを提示して商品の売上向上に寄与するようなことはできない。
【００１７】
また、特許文献２の技術では、一般ユーザが直接店頭に出向かなくても実際に陳列されている売れ筋商品を知ることができる。しかし、このシステムは、商品のランキング情報を店舗情報などとともに所定フォーマットで、一般ユーザのパーソナルコンピュータなどに送信するものである。
【００１８】
このため、一般ユーザがサプライチェーン店舗で店頭収容ラックから店頭販売商品を取得するときにランキング情報を提示することなどは想定すらされておらず、実際のサプライチェーン店舗の店内で商品の売上向上に寄与するようなことはできない。
【００１９】
そして、特許文献３の技術では、ディスプレイに利用者の購買意欲を促進する商品情報を提供する。しかし、このシステムは、店舗全体を対象として商品情報を提供することを想定している。
【００２０】
このため、店頭収容ラックから店頭販売商品を取得する一般ユーザに、その店頭収容ラックに収容されている店頭販売商品のランキング情報を提示することなどは想定すらされていない。このため、コンビニエンスストアなどの小規模なサプライチェーン店舗での商品売上向上に寄与することは困難である。
【００２１】
本発明は上述のような課題に鑑みてなされたものであり、サプライチェーン店舗で店頭収容ラックから店頭販売商品を取得する一般ユーザに、その店頭収容ラックに収容されている店頭販売商品のランキング情報を提示することができる店頭収容ラック、この店頭収容ラックを有するデータ処理システム、その店頭収容ラックのコンピュータプログラムおよびデータ処理方法、を提供するものである。
【課題を解決するための手段】
【００２２】
本発明の店頭収容ラックは、一般ユーザに自由に取得される複数種類の店頭販売商品を収容する店頭収容ラックであって、少なくとも収容されている複数種類の店頭販売商品の商品ランキングデータを記憶するランキング記憶部と、記憶されている商品ランキングデータの少なくとも出力形態を変更する複数の出力変更モードを記憶するモード記憶部と、複数の出力変更モードの少なくとも一つを有効に設定するモード設定部と、設定された少なくとも一つの出力変更モードに対応して商品ランキングデータの出力形態を変更する出力変更部と、変更された出力形態で商品ランキングデータを報知出力するランキング報知部と、を有する。
【００２３】
従って、本発明の店頭収容ラックでは、少なくとも収容されている複数種類の店頭販売商品の商品ランキングデータをランキング記憶部が記憶する。記憶されている商品ランキングデータの少なくとも出力形態を変更する複数の出力変更モードをモード記憶部が記憶する。複数の出力変更モードの少なくとも一つをモード設定部が有効に設定する。設定された少なくとも一つの出力変更モードに対応して商品ランキングデータの出力形態を出力変更部が変更する。変更された出力形態で商品ランキングデータをランキング報知部が報知出力する。このため、記憶されている複数の出力変更モードの少なくとも一つが有効に設定されることで、記憶されている商品ランキングデータの出力形態が変更されて報知出力される。
【００２４】
また、上述のような店頭収容ラックにおいて、少なくともテキストデータを表示出力するディスプレイユニットを有し、ランキング報知部は、ディスプレイユニットにテキストデータで商品ランキングデータを表示出力させてもよい。
【００２５】
また、上述のような店頭収容ラックにおいて、出力変更モードに対応して商品ランキングデータの出力形態が変更されたときに一般ユーザによる少なくとも一つのユーザアクションを検知するアクション検知部を、さらに有してもよい。
【００２６】
また、上述のような店頭収容ラックにおいて、アクション検知部は、出力変更モードに対応して商品ランキングデータの出力形態が変更されたときにユーザアクションとして収容されている店頭販売商品の移動を各々検知してもよい。
【００２７】
また、上述のような店頭収容ラックにおいて、アクション検知部は、収容されている店頭販売商品の移動として取得の実行と完了と中止とを各々検知し、出力変更部は、取得の実行と完了と中止との各々に個々に対応して商品ランキングデータの出力形態を変更してもよい。
【００２８】
また、上述のような店頭収容ラックにおいて、アクション検知部は、収容されている店頭販売商品の移動を各々検知し、モード設定部は、アクション検知部により店頭販売商品の移動が検知されると有効に設定している出力変更モードを切り換えてもよい。
【００２９】
また、上述のような店頭収容ラックにおいて、アクション検知部は、収容されている店頭販売商品の移動として取得の実行と完了と中止とを各々検知し、モード設定部は、取得の実行と完了と中止との各々に個々に対応して有効に設定している出力変更モードを切り換えてもよい。
【００３０】
また、上述のような店頭収容ラックにおいて、モード記憶部は、複数の出力変更モードの一種として商品ランキングデータの出力タイミングを変更する複数のタイミング変更モードを記憶し、モード設定部は、ユーザアクションに対応して複数のタイミング変更モードの一つを有効に設定し、ランキング報知部は、設定されたタイミング変更モードに対応した出力タイミングで商品ランキングデータを報知出力してもよい。
【００３１】
また、上述のような店頭収容ラックにおいて、モード記憶部は、複数の出力変更モードの一種として店頭販売商品が販売される複数種類の商品販売領域ごとに商品ランキングデータを集計する複数の領域集計モードを記憶し、モード設定部は、出力変更モードとして複数の領域集計モードの一つを有効に設定し、出力変更部は、設定された領域集計モードに対応した商品販売領域の商品ランキングデータを集計してもよい。
【００３２】
また、上述のような店頭収容ラックにおいて、モード記憶部は、複数の出力変更モードの一種として店頭販売商品が販売される複数の商品販売期間ごとに商品ランキングデータを集計する複数の期間集計モードを記憶し、モード設定部は、出力変更モードとして複数の期間集計モードの一つを有効に設定し、出力変更部は、設定された期間集計モードに対応した商品販売期間の商品ランキングデータを集計してもよい。
【００３３】
また、上述のような店頭収容ラックにおいて、モード記憶部は、複数の出力変更モードの一種として店頭販売商品の複数種類の販売商品区分ごとに商品ランキングデータを集計する複数の区分集計モードを記憶し、モード設定部は、出力変更モードとして複数の区分集計モードの一つを有効に設定し、出力変更部は、設定された区分集計モードに対応した販売商品区分で商品ランキングデータを集計してもよい。
【００３４】
また、上述のような店頭収容ラックにおいて、外部入力される商品ランキングデータをランキング記憶部に記憶させるランキング入力部を、さらに有してもよい。
【００３５】
また、上述のような店頭収容ラックにおいて、外部入力される出力変更モードをモード記憶部に記憶させるモード入力部を、さらに有してもよい。
【００３６】
また、上述のような店頭収容ラックにおいて、外部入力されるモード設定データに対応して複数の出力変更モードの少なくとも一つをモード設定部に有効に設定する設定入力部を、さらに有してもよい。
【００３７】
また、上述のような店頭収容ラックにおいて、店頭販売商品としてタバコパックとタバコカートンとの少なくとも一方を収容してもよい。
【００３８】
本発明の第一のデータ処理システムは、本発明の複数の店頭収容ラックと、複数の店頭収容ラックに商品ランキングデータを送信するデータ処理装置と、を有する。
【００３９】
本発明の第二のデータ処理システムは、本発明の複数の店頭収容ラックと、複数の店頭収容ラックに出力変更モードを送信するデータ処理装置と、を有する。
【００４０】
本発明の第三のデータ処理システムは、本発明の複数の店頭収容ラックと、複数の店頭収容ラックにモード設定データを送信するデータ処理装置と、を有する。
【００４１】
本発明のコンピュータプログラムは、一般ユーザに自由に取得される複数種類の店頭販売商品を収容する店頭収容ラックのコンピュータプログラムであって、少なくとも収容されている複数種類の店頭販売商品の商品ランキングデータを記憶するランキング記憶処理と、記憶されている商品ランキングデータの少なくとも出力形態を変更する複数の出力変更モードを記憶するモード記憶処理と、複数の出力変更モードの少なくとも一つを有効に設定するモード設定処理と、設定された少なくとも一つの出力変更モードに対応して商品ランキングデータの出力形態を変更する出力変更処理と、変更された出力形態で商品ランキングデータを報知出力するランキング報知処理と、を店頭収容ラックに実行させる。
【００４２】
本発明のデータ処理方法は、一般ユーザに自由に取得される複数種類の店頭販売商品を収容する店頭収容ラックのデータ処理方法であって、少なくとも収容されている複数種類の店頭販売商品の商品ランキングデータを記憶するランキング記憶動作と、記憶されている商品ランキングデータの少なくとも出力形態を変更する複数の出力変更モードを記憶するモード記憶動作と、複数の出力変更モードの少なくとも一つを有効に設定するモード設定動作と、設定された少なくとも一つの出力変更モードに対応して商品ランキングデータの出力形態を変更する出力変更動作と、変更された出力形態で商品ランキングデータを報知出力するランキング報知動作と、を店頭収容ラックに実行させる。
【００４３】
なお、本発明の各種の構成要素は、その機能を実現するように形成されていればよく、例えば、所定の機能を発揮する専用のハードウェア、所定の機能がコンピュータプログラムにより付与されたコンピュータ装置、コンピュータプログラムによりコンピュータ装置に実現された所定の機能、これらの任意の組み合わせ、等として実現することができる。
【００４４】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００４５】
また、本発明のコンピュータプログラムおよびデータ処理方法は、複数の処理および動作を順番に記載してあるが、その記載の順番は複数の処理および複数の動作を実行する順番を限定するものではない。
【００４６】
このため、本発明のコンピュータプログラムおよびデータ処理方法を実施するときには、その複数の処理および複数の動作の順番は内容的に支障しない範囲で変更することができる。
【００４７】
さらに、本発明のコンピュータプログラムおよびデータ処理方法は、複数の処理および複数の動作が個々に相違するタイミングで実行されることに限定されない。このため、ある処理および動作の実行中に他の処理および動作が発生すること、ある処理および動作の実行タイミングと他の処理および動作の実行タイミングとの一部ないし全部が重複していること、等でもよい。
【００４８】
また、本発明で云う「データを記憶する」とは、本発明の装置が、少なくともデータを記憶する機能を有することを意味している。一方、本発明で云う「データを記憶している」とは、本発明の装置が、少なくともコンシューマにより使用されるときに「データを記憶している」状態となる機能を有することを意味している。
【００４９】
このため、本発明の装置がサプライヤから出荷されるときにデータが登録されていることの他、出荷されるときには登録されていないデータがコンシューマにより使用されるまでに登録されることも許容する。
【００５０】
また、本発明で云う店頭販売商品とは、少なくとも店頭収容ラックで販売されることがある商品を意味しており、店頭収容ラックでしか販売されない商品であることは意味していない。
【００５１】
さらに、商品販売領域とは、上述のような店頭販売商品が販売される三次元的に特定される領域を意味しており、例えば、その店頭収容ラック、その店頭収容ラックが設置されているサプライチェーン店舗、その店頭収容ラックが設置されている販売区域、その店頭収容ラックが設置されている市町村や都道府県、等として設定される。
【００５２】
また、商品販売期間とは、上述のような店頭販売商品が販売された時点の期間を意味しており、例えば、販売日一日、販売日から過去数日、過去数週間、過去数ヶ月、過去数年、等として設定される。
【００５３】
さらに、販売商品区分とは、上述のような店頭販売商品の各種特性を反映した区分であり、例えば、店頭販売商品がタバコパックであるならば、ロングかショートか、国内産か外国産か、メンソールか、ライトか、スリムか、等として設定される。
【発明の効果】
【００５４】
本発明の店頭収容ラックでは、少なくとも収容されている複数種類の店頭販売商品の商品ランキングデータをランキング記憶部が記憶する。記憶されている商品ランキングデータの少なくとも出力形態を変更する複数の出力変更モードをモード記憶部が記憶する。複数の出力変更モードの少なくとも一つをモード設定部が有効に設定する。設定された少なくとも一つの出力変更モードに対応して商品ランキングデータの出力形態を出力変更部が変更する。変更された出力形態で商品ランキングデータをランキング報知部が報知出力する。このため、記憶されている複数の出力変更モードの少なくとも一つが有効に設定されることで、記憶されている商品ランキングデータの出力形態が変更されて報知出力される。従って、販売する店頭販売商品の商品ランキングデータが一般ユーザに様々な出力形態で報知出力されるので、商品ランキングデータによる店頭販売商品への一般ユーザの興味を良好に喚起することができる。
【図面の簡単な説明】
【００５５】
【図１】本発明の実施の形態のデータ処理システムの論理構造を示す模式的なブロック図である。
【図２】データ処理システムの物理構造を示すブロック図である。
【図３】店頭収容ラックが設置されたサプライチェーン店舗であるコンビニエンスストアのレジ店員スペースの外観を示す斜視図である。
【図４】店頭収容ラックの外観を示す斜視図である。
【図５】店頭収容ラックの回路構造を示すブロック図である。
【図６】店頭収容ラックの要部の機構を示す縦断側面図である。
【図７】店頭販売商品であるタバコパックの外観を示す斜視図である。
【図８】店頭収容ラックによる全般的なデータ処理方法を示すメインルーチンのフローチャートである。
【図９】店頭収容ラックがユーザアクションを検知するデータ処理方法を示すサブルーチンのフローチャートである。
【発明を実施するための形態】
【００５６】
本発明の実施の一形態を図面を参照して以下に説明する。本実施の形態の店頭収容ラック１００は、図１ないし図４に示すように、一般ユーザに自由に取得される複数種類の店頭販売商品であるタバコパックＳＴＰを収容する。
【００５７】
本実施の形態の店頭収容ラック１００は、図１に示すように、少なくとも収容されている複数種類のタバコパックＳＴＰの商品ランキングデータＴＲＤを記憶するランキング記憶部１２１と、記憶されている商品ランキングデータＴＲＤの少なくとも出力形態を変更する複数の出力変更モードを記憶するモード記憶部１２２と、複数の出力変更モードの少なくとも一つを有効に設定するモード設定部１２３と、設定された少なくとも一つの出力変更モードに対応して商品ランキングデータＴＲＤの出力形態を変更する出力変更部１３１と、変更された出力形態で商品ランキングデータＴＲＤを報知出力するランキング報知部１４１と、を有する。
【００５８】
さらに、本実施の形態の店頭収容ラック１００は、外部入力される商品ランキングデータＴＲＤをランキング記憶部１２１に記憶させるランキング入力部１５１と、外部入力される出力変更モードをモード記憶部１２２に記憶させるモード入力部１５２と、外部入力されるモード設定データＭＳＤに対応して複数の出力変更モードの少なくとも一つをモード設定部１２３に有効に設定する設定入力部１５３と、も有する。
【００５９】
より具体的には、図２および図３に示すように、本実施の形態のデータ処理システム１０００では、例えば、コンビニエンスストアＣＶＳのレジ店員スペースＳＲＳの販売処理装置３００の近傍に店頭収容ラック１００が並設されている。
【００６０】
一方、本実施の形態のデータ処理システム１０００では、図２に示すように、コンビニエンスストアＣＶＳのレジ店員スペースＳＲＳから離間した店舗バックヤードＳＢＹにデータ処理装置２００が設置されている。
【００６１】
このデータ処理装置２００は、例えば、ＰＯＳシステムのデータベースサーバからなり、ＰＯＳ端末からなる販売処理装置３００と、店頭収容ラック１００と、に並列に接続されている。
【００６２】
なお、本実施の形態のデータ処理システム１０００が対象とする店頭販売商品であるタバコパックＳＴＰは、例えば、図７に示すように、バーコード画像が表記されており、このバーコード画像に商品ＩＤデータＴＩＤが登録されている。
【００６３】
詳細には後述するが、タバコパックＳＴＰは、図４に示すように、いわゆるタバコカートンＳＴＫやブリックパックＳＢＰなどとしても製品化されている。このタバコカートンＳＴＫなどにもバーコード画像が表記されており、そのバーコード画像にはタバコカートンＳＴＫなどの商品ＩＤデータＴＩＤが登録されている。
【００６４】
そこで、販売処理装置３００は、上述のような商品ＩＤデータＴＩＤをバーコードスキャナで読取操作して商品販売処理を実行する(図示せず)。データ処理装置２００は、商品販売処理で生成される販売履歴データを収集して管理する(図示せず)。
【００６５】
データ処理装置２００は、例えば、上述のように収集して管理している販売履歴データに基づいて、タバコパックＳＴＰの商品ランキングデータＴＲＤを生成して管理している。
【００６６】
また、本実施の形態の店頭収容ラック１００は、前後方向に細長い上面開口のボックス状に形成されていて前後方向に配列された複数のタバコパックＳＴＰを保持する形状の複数のマガジンユニット１０１、上面開口のボックス状に形成されていて左右方向に配列された複数のマガジンユニット１０１を保持する形状の複数のトレーユニット１０２、前面開口のボックス状に形成されていて上下方向に離間した配置で複数のトレーユニット１０２を保持する形状の複数のフレームユニット１０３、等で構築されている。
【００６７】
店頭収容ラック１００は、陳列販売商品であるタバコパックＳＴＰ、複数のタバコパックＳＴＰがパックされた商品であるタバコカートンＳＴＫ、特別なタバコパックＳＴＰであるブリックパックＳＢＰ、等を陳列する。
【００６８】
なお、ブリックパックＳＢＰは、例えば、携帯灰皿などのノベルティグッズをタバコパックＳＴＰと一体にパッキングした構造などからなり、上述のように特別な構造のタバコパックＳＴＰと認識することができる。
【００６９】
現在、タバコパックＳＴＰは、上下寸法に多少の長短はあるものの、一般的に前後左右の寸法が共通した定型の直方体状に形成されている。そして、本実施の形態では、タバコパックＳＴＰの最大面を前面および後面、最小面を上面および下面、と規定する。
【００７０】
なお、通常のタバコパックＳＴＰは前面(および後面)に銘柄などが表記されている。このため、その前面が前方に位置する適正な方向の状態で陳列されることが好ましい。そして、マガジンユニット１０１は、上述のように方向が適正な状態の複数のタバコパックＳＴＰを前後方向に配列した状態で収容する。
【００７１】
トレーユニット１０２も、上面が開口したボックス状に無色透明な樹脂で形成されている。トレーユニット１０２には、複数のマガジンユニット１０１が左右方向に配列された状態で設置される。
【００７２】
ただし、本実施の形態の店頭収容ラック１００では、五個のマガジンユニット１０１が設置されている幅広のトレーユニット１０２と、三個のマガジンユニット１０１が設置されている幅狭のトレーユニット１０２と、がある。
【００７３】
そこで、本実施の形態の店頭収容ラック１００は、左右寸法が大きいトレーユニット１０２を三個支持するフレームユニット１０３、左右寸法が大きいトレーユニット１０２を二個支持するフレームユニット１０３、左右寸法が小さいトレーユニット１０２を三個支持するフレームユニット１０３、左右寸法が小さいトレーユニット１０２を二個支持するフレームユニット１０３、で形成されている。
【００７４】
なお、本実施の形態の店頭収容ラック１００は、前述のようにトレーユニット１０２に設置されているマガジンユニット１０１にタバコパックＳＴＰを収容する他、マガジンユニット１０１が設置されていないトレーユニット１０２にタバコカートンＳＴＫを長手方向が前後方向の状態や左右方向の状態で収容することもできる。
【００７５】
ただし、本実施の形態の店頭収容ラック１００は、上述のように収容されているタバコパックＳＴＰやタバコカートンＳＴＫの取得を阻害しない位置で、前面に横長のディスプレイユニット１４０が装着されている。
【００７６】
そこで、詳細には後述するが、前述のランキング報知部１４１は、ディスプレイユニット１４０にテキストデータ(図示せず)で商品ランキングデータＴＲＤを表示出力させる。
【００７７】
なお、本実施の形態の店頭収容ラック１００では、図１に示すように、モード記憶部１２２は、複数の出力変更モードの一種として商品ランキングデータＴＲＤの出力タイミングを変更する複数のタイミング変更モードＴＣＭを記憶する。
【００７８】
このため、モード設定部１２３は、ユーザアクションに対応して複数のタイミング変更モードＴＣＭの一つを有効に設定し、ランキング報知部１４１は、設定されたタイミング変更モードＴＣＭに対応した出力タイミングで商品ランキングデータＴＲＤを報知出力する。
【００７９】
また、モード記憶部１２２は、複数の出力変更モードの一種としてタバコパックＳＴＰが販売される複数種類の商品販売領域ごとに商品ランキングデータＴＲＤを集計する複数の領域集計モードＳＴＭも記憶する。
【００８０】
このため、モード設定部１２３は、出力変更モードとして複数の領域集計モードＳＴＭの一つを有効に設定し、出力変更部１３１は、設定された領域集計モードＳＴＭに対応した商品販売領域の商品ランキングデータＴＲＤを集計する。
【００８１】
さらに、モード記憶部１２２は、複数の出力変更モードの一種としてタバコパックＳＴＰが販売される複数の商品販売期間ごとに商品ランキングデータＴＲＤを集計する複数の期間集計モードＴＴＭも記憶する。
【００８２】
このため、モード設定部１２３は、出力変更モードとして複数の期間集計モードＴＴＭの一つを有効に設定し、出力変更部１３１は、設定された期間集計モードＴＴＭに対応した商品販売期間の商品ランキングデータＴＲＤを集計する。
【００８３】
なお、本実施の形態の店頭収容ラック１００は、図５に示すように、ハードウェアとして光学センサ１１０やメモリデバイス１２０やコンピュータユニット１３０やデータ通信ユニット１５０なども有する。
【００８４】
そのコンピュータユニット１３０が、実装されているコンピュータプログラムに対応して各種のハードウェア１１０〜を統合制御することなどにより、上述した各部１２１等が論理的に実現されている。
【００８５】
このため、本実施の形態の店頭収容ラック１００は、出力変更部１３１により出力変更モードに対応して商品ランキングデータＴＲＤの出力形態が変更されると、一般ユーザによる少なくとも一つのユーザアクションＣＵＡを検知するアクション検知部１１１も有する。
【００８６】
本実施の形態の店頭収容ラック１００では、アクション検知部１１１は、ユーザアクションＣＵＡとして収容されているタバコパックＳＴＰの移動として、取得の実行と完了と中止とを各々検知する。
【００８７】
より具体的には、本実施の形態の店頭収容ラック１００では、タバコパックＳＴＰやタバコカートンＳＴＫを前後方向に配列して収容するマガジンユニット１０１等に、図６に示すように、収容されているタバコパックＳＴＰ等を最後尾から最前部までスライド移動させるスライド押圧機構１０４が形成されている。
【００８８】
さらに、マガジンユニット１０１等の底部前方には、最前部のタバコパックＳＴＰ等を上方に押圧して取得しやすくする三角形の凸部１０５が形成されており、例えば、この凸部１０５に光学センサ１１０が内蔵されている(図示せず)。
【００８９】
このため、図６(ｂ)に示すように、凸部１０５に乗り上げている最前部のタバコパックＳＴＰ等が一般ユーザに取得されると、図９に示すように、その光学センサ１１０による検知が(ステップＴ１−Ｙ)、取得の実行としてコンピュータユニット１３０で判断される(ステップＴ２)。
【００９０】
本実施の形態の店頭収容ラック１００は、上述のように最前部のタバコパックＳＴＰ等が取得されると、スライド押圧機構１０４により、後段のタバコパックＳＴＰが最前部まで自動的にスライド移動される。
【００９１】
そこで、このスライド移動の完了が光学センサ１１０で検知されると(ステップＴ５−Ｙ)、これが取得の完了としてコンピュータユニット１３０で判断される(ステップＴ６)。
【００９２】
一方、最前部のタバコパックＳＴＰが取得されても、後段のタバコパックＳＴＰが最前部までスライド移動される以前に、一般ユーザにより取得されたタバコパックＳＴＰが最前部に戻されることもある。この場合、その光学センサ１１０による検知が(ステップＴ３−Ｙ)、コンピュータユニット１３０で取得の中止として判断される(ステップＴ４)。
【００９３】
上述のような一般ユーザによる取得や戻し、スライド押圧機構１０４によるスライド移動、等は、定型で軽量なタバコパックＳＴＰやタバコカートンＳＴＫであるために容易に実行される。
【００９４】
なお、上述のようなアクション検知部１１１は、例えば、コンピュータユニット１３０が実装されているコンピュータプログラムに対応して光学センサ１１０の検出結果を認識する機能などに相当する。
【００９５】
ランキング記憶部１２１とモード記憶部１２２とは、コンピュータユニット１３０が実装されているコンピュータプログラムに対応して認識するメモリデバイス１２０の記憶エリアなどに相当する。
【００９６】
モード設定部１２３と出力変更部１３１とは、コンピュータユニット１３０が実装されているコンピュータプログラムに対応して所定のデータ処理を実行する機能などに相当する。
【００９７】
ランキング報知部１４１は、コンピュータユニット１３０が実装されているコンピュータプログラムに対応してディスプレイユニット１４０を動作制御する機能などに相当する。
【００９８】
ランキング入力部１５１とモード入力部１５２と設定入力部１５３とは、コンピュータユニット１３０が実装されているコンピュータプログラムに対応してデータ通信ユニット１５０の受信データをメモリデバイス１２０に格納する機能などに相当する。
【００９９】
上述のような店頭収容ラック１００のコンピュータプログラムは、例えば、少なくとも収容されている複数種類のタバコパックＳＴＰの商品ランキングデータＴＲＤを記憶するランキング記憶処理と、記憶されている商品ランキングデータＴＲＤの少なくとも出力形態を変更する複数の出力変更モードを記憶するモード記憶処理と、複数の出力変更モードの少なくとも一つを有効に設定するモード設定処理と、設定された少なくとも一つの出力変更モードに対応して商品ランキングデータＴＲＤの出力形態を変更する出力変更処理と、変更された出力形態で商品ランキングデータＴＲＤを報知出力するランキング報知処理と、を店頭収容ラック１００に実行させるように記述されている。
【０１００】
なお、本実施の形態のデータ処理システム１０００では、例えば、商品製造メーカのデータ処理装置２００が、複数の店頭収容ラック１００に商品ランキングデータＴＲＤや出力変更モードやモード設定データＭＳＤを送信する。
【０１０１】
上述のような構成において、本実施の形態の店頭収容ラックによるデータ処理方法を以下に説明する。まず、前述のように商品製造メーカは複数種類のタバコパックＳＴＰを製造し、店頭収容ラック１００を利用するなどして販売している。
【０１０２】
そして、例えば、タバコパックＳＴＰの銘柄ごとの売上状況を、商品ランキングデータＴＲＤとして個体ごとにデータ処理装置２００で収集している。ただし、このデータ処理装置２００は、例えば、コンビニエンス本部(図示せず)のデータベースサーバなどととも相互通信している。
【０１０３】
このため、商品ランキングデータＴＲＤは、例えば、何処の自動販売機(図示せず)で販売されたか、何処のコンビニエンスストアＣＶＳで販売されたか、何処の地域で販売されたか、などのタバコパックＳＴＰが販売される複数種類の商品販売領域が、販売されたタバコパックＳＴＰごとに領域属性データとして付与されている。
【０１０４】
さらに、販売されたのは何年何月何日何時何分何秒か、何曜日か、平日か休日か祝日か、などのタバコパックＳＴＰが販売される商品販売期間も、販売されたタバコパックＳＴＰごとに期間属性データとして付与されている。
【０１０５】
上述のようにタバコパックＳＴＰごとに収集された商品ランキングデータＴＲＤが、例えば、一日一回などの所定タイミングでデータ処理装置２００から店頭収容ラック１００に送信される。
【０１０６】
そこで、図８に示すように、この商品ランキングデータＴＲＤを受信した店頭収容ラック１００は(ステップＳ１−Ｙ)、受信した商品ランキングデータＴＲＤを記憶する(ステップＳ２)。
【０１０７】
さらに、データ処理装置２００は、例えば、複数種類のタイミング変更モードＴＣＭと、複数の領域集計モードＳＴＭと、複数の期間集計モードＴＴＭと、を必要により店頭収容ラック１００に送信する。
【０１０８】
そこで、この複数種類のタイミング変更モードＴＣＭと、複数の領域集計モードＳＴＭと、複数の期間集計モードＴＴＭと、を受信した店頭収容ラック１００は(ステップＳ３−Ｙ)、その受信した各種変更／集計データも記憶する(ステップＳ４)。
【０１０９】
さらに、データ処理装置２００は、例えば、そのときの販売戦略などにより、複数種類のタイミング変更モードＴＣＭの一つと、複数の領域集計モードＳＴＭの一つと、複数の期間集計モードＴＴＭの一つと、を設定するモード設定データＭＳＤも店頭収容ラック１００に送信する。
【０１１０】
そこで、このモード設定データＭＳＤを受信した店頭収容ラック１００は(ステップＳ５−Ｙ)、受信したモード設定データＭＳＤも記憶する(ステップＳ６)。そして、このモード設定データＭＳＤに対応して、複数種類のタイミング変更モードＴＣＭの一つと、複数の領域集計モードＳＴＭの一つと、複数の期間集計モードＴＴＭの一つと、を読み出す(ステップＳ７)。
【０１１１】
つぎに、その読み出された領域集計モードＳＴＭと期間集計モードＴＴＭとで商品ランキングデータＴＲＤが集計される(ステップＳ８)。そして、この集計された商品ランキングデータＴＲＤが、読み出されたタイミング変更モードＴＣＭに対応して表示出力される(ステップＳ９〜Ｓ１０−Ｎ)。
【０１１２】
さらに、上述のように商品ランキングデータＴＲＤが表示出力されているとき、その所定の表示切換タイミングとなると(ステップＳ１０−Ｙ)、上述の処理動作が再度実行され(ステップＳ１〜Ｓ６)、再度取得された領域集計モードＳＴＭと期間集計モードＴＴＭとで商品ランキングデータＴＲＤが再度集計され(ステップＳ７〜Ｓ８)、タイミング変更モードＴＣＭに対応して表示出力される(ステップＳ９)。
【０１１３】
一方、上述のように表示出力されている商品ランキングデータＴＲＤの表示切換タイミングより以前に(ステップＳ９，Ｓ１０−Ｎ)、図９に示すように、店頭収容ラック１００に収容されているタバコパックＳＴＰ等の一般ユーザによる、取得の実行(ステップＴ１−Ｙ，Ｔ２)、取得の完了(ステップＴ５−Ｙ，Ｔ６)、取得の中止(ステップＴ３−Ｙ，Ｔ４)、等のユーザアクションＣＵＡが実行されることもある。
【０１１４】
すると、このようなユーザアクションＣＵＡを検知した店頭収容ラック１００では(ステップＳ１１−Ｙ)、例えば、そのユーザアクションＣＵＡが表示出力されていた商品ランキングデータＴＲＤ等とともに記録される(ステップＳ１２)。
【０１１５】
このようにタイミング変更モードＴＣＭに対応して商品ランキングデータＴＲＤが表示切換されたときに記録されたユーザアクションＣＵＡは、例えば、定期的に各店から収集されてユーザ動向のデータマイニングなどに利用される。
【０１１６】
なお、上述のようにユーザアクションＣＵＡが検知されると(ステップＳ１１−Ｙ)、さらに、取得されている領域集計モードＳＴＭと期間集計モードＴＴＭとで商品ランキングデータＴＲＤが再度集計され(ステップＳ８)、タイミング変更モードＴＣＭに対応して表示出力される(ステップＳ９)。
【０１１７】
例えば、モード設定データＭＳＤにより、タイミング変更モードＴＣＭとして、商品ランキングデータＴＲＤの毎時変化表示、領域集計モードＳＴＭとして、その店頭収容ラック１００での商品ランキングデータＴＲＤ、期間集計モードＴＴＭとして、一ヶ月の商品ランキングデータＴＲＤ、が店頭収容ラック１００に設定されたとする。
【０１１８】
すると、その店頭収容ラック１００は、一ヶ月に販売したタバコパックＳＴＰの商品ランキングデータＴＲＤを一時間毎の周期で変化させて表示出力する。このような商品ランキングデータＴＲＤは、例えば、以下のようにテキストデータでディスプレイユニット１４０に表示出力される。
【０１１９】
「この商品ラックで一ヶ月  第一位    第二位        第三位      第四位    …
に販売されたランキング  Ｅライト  Ａメンソール  Ｃショート  Ｂスリム  …」
【０１２０】
なお、このようなテキストデータからなる商品ランキングデータＴＲＤの表示出力は、例えば、右側から左方へのスクロール表示などで、顧客の注意を良好に喚起するように出力される。
【０１２１】
また、モード設定データＭＳＤにより、タイミング変更モードＴＣＭとして、複数の商品販売領域の十分などの所定間隔での経時切換表示、領域集計モードＳＴＭとして、その店頭収容ラック１００、その市街、その都道府県、期間集計モードＴＴＭとして、一週間の商品ランキングデータＴＲＤ、が店頭収容ラック１００に設定されたとする。
【０１２２】
すると、その店頭収容ラック１００は、その店頭収容ラック１００、その市街、その都道府県、で一週間に販売されたタバコパックＳＴＰの商品ランキングデータＴＲＤを、十分ごとに集計して切換表示する。
【０１２３】
さらに、本実施の形態の店頭収容ラック１００では、例えば、上述のような複数種類のモード設定データＭＳＤによる商品ランキングデータＴＲＤの表示出力が、前述のように一般ユーザによるタバコパックＳＴＰ等の、取得の実行、取得の完了、取得の中止、等のユーザアクションＣＵＡを継起として表示切換される。
【０１２４】
本実施の形態の店頭収容ラック１００では、上述のように少なくとも収容されている複数種類のタバコパックＳＴＰの商品ランキングデータＴＲＤをランキング記憶部１２１が記憶する。
【０１２５】
この記憶されている商品ランキングデータＴＲＤの少なくとも出力形態を変更する複数の出力変更モードをモード記憶部１２２が記憶する。その複数の出力変更モードの少なくとも一つをモード設定部１２３が有効に設定する。
【０１２６】
このように設定された少なくとも一つの出力変更モードに対応して商品ランキングデータＴＲＤの出力形態を出力変更部１３１が変更する。この変更された出力形態で商品ランキングデータＴＲＤをランキング報知部１４１が報知出力する。
【０１２７】
このため、記憶されている複数の出力変更モードの少なくとも一つが有効に設定されることで、記憶されている商品ランキングデータＴＲＤの出力形態が変更されて報知出力される。
【０１２８】
従って、販売するタバコパックＳＴＰの商品ランキングデータＴＲＤが一般ユーザに様々な出力形態で報知出力されるので、商品ランキングデータＴＲＤによるタバコパックＳＴＰへの一般ユーザの興味を良好に喚起することができる。
【０１２９】
特に、データ処理装置２００で管理されている商品ランキングデータＴＲＤを複数の複数の出力変更モードとともに店頭収容ラック１００が保持する。このため、店頭収容ラック１００が商品ランキングデータＴＲＤを集計して出力するために商品製造メーカのデータ処理装置２００に依存する必要がなく、店頭収容ラック１００がスタンドアロンで商品ランキングデータＴＲＤを集計して出力することができる。
【０１３０】
このため、各種データがデータ処理装置２００から店頭収容ラック１００に伝送されれば、あとは店頭収容ラック１００のスタンドアロンの動作で商品ランキングデータＴＲＤを報知させることができる。
【０１３１】
従って、データ処理装置２００が店頭収容ラック１００と常時通信して商品ランキングデータＴＲＤの表示出力をリアルタイムに制御するような必要がないので、データ処理装置２００の処理負担を軽減して店内ＬＡＮ等の輻輳も防止することができる。
【０１３２】
しかも、本実施の形態の店頭収容ラック１００は、前述のように所定の表示切換タイミングごとにデータ処理装置２００から最新の商品ランキングデータＴＲＤを複数の複数の出力変更モードとともに取得する。このため、定期的に最新の商品ランキングデータＴＲＤが最新の出力変更モードで表示出力される。
【０１３３】
さらに、上述のように商品ランキングデータＴＲＤが最新の出力変更モードで表示出力されているときに、一般ユーザによるタバコパックＳＴＰ等へのユーザアクションＣＵＡが発生すると、そのユーザアクションＣＵＡが検知されて記録される。
【０１３４】
このため、商品ランキングデータＴＲＤの表示切換に対応したユーザアクションＣＵＡが記録されるので、例えば、これを定期的にデータ収集してユーザ動向のデータマイニングなどに利用することができる。
【０１３５】
特に、本実施の形態の店頭収容ラック１００は、店頭販売商品としてタバコパックＳＴＰやタバコカートンＳＴＫを、その銘柄画像を前面として前後方向に配列させて収容する。
【０１３６】
このため、一般ユーザは銘柄画像を視認してタバコパックＳＴＰ等を取得することができ、図９に示すように、これを店頭収容ラック１００はユーザアクションＣＵＡとして検知することができる。
【０１３７】
特に、タバコパックＳＴＰやタバコカートンＳＴＫは定型で軽量なので、一般ユーザによる取得の実行だけでなく、取得の中止も容易であり、図６に示すように、取得が完了されたときにスライド押圧機構１０４により後段のタバコパックＳＴＰ等を最前部までスライド移動させることも容易である。
【０１３８】
これは不定形な袋商品や重量のある瓶詰商品などでは困難であり(図示せず)、上述のように定型で軽量なタバコパックＳＴＰやタバコカートンＳＴＫであることに起因している。
【０１３９】
また、前述のように銘柄画像を容易に視認できるように店頭収容ラック１００に収容できることも、やはり定型のタバコパックＳＴＰやタバコカートンＳＴＫであることに起因している。
【０１４０】
さらに、本実施の形態の店頭収容ラック１００では、上述のような一般ユーザのユーザアクションＣＵＡに対応して、迅速に商品ランキングデータＴＲＤを表示切換することもできる。
【０１４１】
このとき、ユーザアクションＣＵＡされたタバコパックＳＴＰ等のタバコ銘柄を検出することにより、そのタバコ銘柄に対応した商品ランキングデータＴＲＤを選択表示することもできる。
【０１４２】
特に、一般ユーザによるユーザアクションＣＵＡとして、タバコパックＳＴＰ等の、取得の実行、取得の完了、取得の中止、を個別に検出し、それに個々に対応して商品ランキングデータＴＲＤを表示切換することができる。
【０１４３】
このため、一般ユーザのユーザアクションＣＵＡを反映した商品ランキングデータＴＲＤの表示出力により、一般ユーザの興味を良好に喚起することができ、例えば、ユーザアクションされたタバコパックＳＴＰの販売を促進するようなことができる。
【０１４４】
しかも、本実施の形態の店頭収容ラック１００では、モード記憶部１２２は、複数の出力変更モードの一種としてタバコパックＳＴＰが販売される複数種類の商品販売領域ごとに商品ランキングデータＴＲＤを集計する複数の領域集計モードＳＴＭを記憶し、モード設定部１２３は、出力変更モードとして複数の領域集計モードＳＴＭの一つを有効に設定し、出力変更部１３１は、設定された領域集計モードＳＴＭに対応した商品販売領域の商品ランキングデータＴＲＤを集計する。
【０１４５】
このため、広域から収集された商品ランキングデータＴＲＤを特定の商品販売領域ごとに集計して報知することができるので、例えば、特定の地域などに対応した一般ユーザの商品ランキングデータＴＲＤへの興味を良好に喚起することができる。
【０１４６】
さらに、本実施の形態の店頭収容ラック１００では、モード記憶部１２２は、複数の出力変更モードの一種としてタバコパックＳＴＰが販売される複数の商品販売期間ごとに商品ランキングデータＴＲＤを集計する複数の期間集計モードＴＴＭを記憶し、モード設定部１２３は、出力変更モードとして複数の期間集計モードＴＴＭの一つを有効に設定し、出力変更部１３１は、設定された期間集計モードＴＴＭに対応した商品販売期間の商品ランキングデータＴＲＤを集計する。
【０１４７】
このため、長期間に収集された商品ランキングデータＴＲＤを特定の商品販売期間ごとに集計して報知することができるので、例えば、特定の日時などに対応した一般ユーザの商品ランキングデータＴＲＤへの興味を良好に喚起することができる。
【０１４８】
さらに、本実施の形態の店頭収容ラック１００では、ランキング報知部１４１は、ディスプレイユニット１４０にテキストデータで商品ランキングデータＴＲＤを表示出力させる。このため、一般的なディスプレイユニット１４０で商品ランキングデータＴＲＤを明瞭に報知することができる。
【０１４９】
しかも、本実施の形態のデータ処理システム１０００では、レジ店員スペースＳＲＳの店頭収容ラック１００が店舗バックヤードＳＢＹのデータ処理装置２００から商品ランキングデータＴＲＤをランキング入力部１５１で外部入力してランキング記憶部１２１に記憶させる。
【０１５０】
このため、店頭収容ラック１００は、例えば、設定された所望のタイミングで最新のデータ処理装置２００から商品ランキングデータＴＲＤを取得するようなことができる。
【０１５１】
また、本実施の形態のデータ処理システム１０００では、レジ店員スペースＳＲＳの店頭収容ラック１００が店舗バックヤードＳＢＹのデータ処理装置２００から出力変更モードをモード入力部１５２で外部入力してモード記憶部１２２に記憶させる。
【０１５２】
このため、店頭収容ラック１００は、例えば、コンビニエンスストアＣＶＳで販売戦略などにより立案された各種の出力変更モードを、設定された所望のタイミングで取得するようなことができる。
【０１５３】
さらに、本実施の形態のデータ処理システム１０００では、レジ店員スペースＳＲＳの店頭収容ラック１００が店舗バックヤードＳＢＹのデータ処理装置２００からモード設定データＭＳＤを設定入力部１５３で外部入力し、複数の出力変更モードの少なくとも一つをモード設定部１２３に有効に設定する。
【０１５４】
このため、店頭収容ラック１００は、例えば、コンビニエンスストアＣＶＳで販売戦略などにより立案された複数の出力変更モードの切換表示を、そのモード設定データＭＳＤで実行するようなことができる。
【０１５５】
なお、本発明は本実施の形態に限定されるものではなく、その要旨を逸脱しない範囲で各種の変形を許容する。例えば、上記形態では一般ユーザによるユーザアクションＣＵＡとして店頭収容ラック１００に収容されているタバコパックＳＴＰ等の移動を光学センサ１１０で検出することを例示した。
【０１５６】
しかし、このような店頭収容ラック(図示せず)に人感センサなどを搭載しておき、これで一般ユーザの対面をユーザアクションＣＵＡとして検知してもよい。この場合、一般ユーザが店頭収容ラックに対面すると表示出力されている商品ランキングデータＴＲＤが表示切換されるので、その一般ユーザによる興味を良好に喚起することができる。
【０１５７】
また、上記形態では店頭収容ラック１００がデータ処理装置２００により設定された出力変更モードと検知されたユーザアクションＣＵＡとに対応して商品ランキングデータＴＲＤの出力形態を変更することを例示した。
【０１５８】
しかし、店頭収容ラック(図示せず)が複数の出力変更モードの一種として商品ランキングデータＴＲＤの出力タイミングを変更する複数のタイミング変更モードを記憶し、ユーザアクションＣＵＡに対応して複数のタイミング変更モードの一つを有効に設定し、設定されたタイミング変更モードに対応した出力タイミングで商品ランキングデータＴＲＤを報知出力してもよい。
【０１５９】
この場合、検出されたユーザアクションＣＵＡに対応して店頭収容ラックでの商品ランキングデータＴＲＤの出力タイミングが変更されるので、その一般ユーザによる興味を良好に喚起することができる。
【０１６０】
さらに、上記形態ではモード記憶部１２２が、複数の出力変更モードとして、タイミング変更モードＴＣＭと領域集計モードＳＴＭと期間集計モードＴＴＭとを記憶し、これらに対応して商品ランキングデータＴＲＤの出力形態が変更されることを例示した。
【０１６１】
しかし、上述のようなモード記憶部(図示せず)が、複数の出力変更モードの一種としてタバコパックＳＴＰの複数種類の販売商品区分ごとに商品ランキングデータＴＲＤを集計する複数の区分集計モードを記憶し、モード設定部１２３が、出力変更モードとして複数の区分集計モードの一つを有効に設定し、出力変更部１３１が、設定された区分集計モードに対応した販売商品区分で商品ランキングデータＴＲＤを集計してもよい。
【０１６２】
その場合、タバコパックＳＴＰごとの商品ランキングデータＴＲＤには、例えば、メンソールの有無、ロングやショートなどのサイズ、国内産か外国産かの区分、などの販売商品区分が、タバコパックＳＴＰごとに区分属性データとして付与される。
【０１６３】
そして、上述のような区分属性データに対応した複数種類の区分集計モードが店頭収容ラック１００に記憶されてモード設定データＭＳＤにより一つが有効とされることにより、例えば、メンソールタバコの商品ランキングデータＴＲＤなどが報知されることになる。
【０１６４】
さらに、上記形態では店頭収容ラック１００の前面のタバコパックＳＴＰの取得を阻害しない位置に横長のディスプレイユニット１４０が一個だけ装着されていることを例示した。
【０１６５】
しかし、このようなディスプレイユニット１４０が複数装着されていてもよく(図示せず)、例えば、タバコパックＳＴＰ等の取得を阻害しないように店頭収容ラック(図示せず)に用意された所定の専用スペースに、所定の縦幅のディスプレイユニットが設置されていてもよい。
【０１６６】
また、上記形態では商品ランキングデータＴＲＤがテキストデータにより簡明に表示出力されることを例示した。しかし、このような商品ランキングデータＴＲＤが、いわゆる円グラフや棒グラフなどによりグラフィカルに表示されてもよい。
【０１６７】
なお、このように商品ランキングデータＴＲＤを円グラフなどでグラフィカルに表示出力する場合には、上述のように所定の縦幅のディスプレイユニット(図示せず)が好適である。
【０１６８】
さらに、上記形態では商品ランキングデータＴＲＤがディスプレイユニット１４０により表示出力されることを例示した。しかし、スピーカユニット(図示せず)により音声出力されてもよい。
【０１６９】
また、本実施の形態では店頭収容ラックの各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【０１７０】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【０１７１】
１００    店頭収容ラック
１０１    マガジンユニット
１０２    トレーユニット
１０３    フレームユニット
１１０    光学センサ
１１１    アクション検知部
１２０    メモリデバイス
１２１    ランキング記憶部
１２２    モード記憶部
１２３    モード設定部
１３０    コンピュータユニット
１３１    出力変更部
１４０    ディスプレイユニット
１４１    ランキング報知部
１５０    データ通信ユニット
１５１    ランキング入力部
１５２    モード入力部
１５３    設定入力部
２００    データ処理装置
３００    販売処理装置
１０００    データ処理システム
ＣＵＡ    ユーザアクション
ＣＶＳ    コンビニエンスストア
ＭＳＤ    モード設定データ
ＳＢＰ    ブリックパック
ＳＢＹ    店舗バックヤード
ＳＲＳ    レジ店員スペース
ＳＴＫ    タバコカートン
ＳＴＭ    領域集計モード
ＳＴＰ    タバコパック
ＴＣＭ    タイミング変更モード
ＴＩＤ    商品ＩＤデータ
ＴＲＤ    商品ランキングデータ
ＴＴＭ    期間集計モード
【図１】
2010188029.tif 000003
【図２】
2010188029.tif 000004
【図３】
2010188029.tif 000005
【図４】
2010188029.tif 000006
【図５】
2010188029.tif 000007
【図６】
2010188029.tif 000008
【図７】
2010188029.tif 000009
【図８】
2010188029.tif 000010
【図９】
2010188029.tif 000011